(57)【要約】【課題】点光源を使用しても、操作ボタンの設計自由度を制限することなく、操作ボタンに対する照明ムラを抑えることができる操作ボタンの照明構造およびこれを備えたコントロールユニットを提供する。【解決手段】コントロールユニット１において操作ボタン３の照明構造は、基板４と、複数の点光源５とを備えている。各点光源５は、基板４の裏面４ｂにおいてタクトスイッチ６の下側に設置されている。基板４の表面４ａには、タクトスイッチ６の周辺部分に、照明用貫通穴７が設けられている。そして、各点光源５が点灯すると、各点光源５から発せられた光５Ｌは、基板４の各照明用貫通穴７を通って表面４ａ側に漏出し、各操作ボタン３のノブ３２の上部３２ａを照らす。【選択図】図２
2010129261.tif 000002
【特許請求の範囲】
【請求項１】
下面が開口した筒状に形成されて上部が透光性を有している操作ボタンの下方に配置される基板と、前記操作ボタンの上部を照らすための点光源とを備えている操作ボタンの照明構造であって、
前記点光源は前記基板の裏側に配置され、前記基板の表面には、前記点光源から発せられた光を通して当該基板の表面に漏出させて前記操作ボタンの上部にあてる照明用貫通穴が設けられていることを特徴とする操作ボタンの照明構造。
【請求項２】
請求項１に記載の操作ボタンの照明構造において、
前記基板は、その表裏面に回路が形成された両面基板であって、当該基板の裏面に前記光源が設置され、当該基板の表面に前記照明用貫通穴が設けられていることを特徴とする操作ボタンの照明構造。
【請求項３】
請求項１に記載の操作ボタンの照明構造において、
前記基板の下側には別の基板が配置され、双方の基板は、表面に回路が形成された片面基板であって、下側基板の表面に前記点光源が設置され、上側基板の表面に前記照明用貫通穴が設けられていることを特徴とする操作ボタンの照明構造。
【請求項４】
請求項１〜請求項３のいずれか１項に記載の操作ボタンの照明構造において、
複数の前記操作ボタンが隣接する場合には、隣接している２つの操作ボタンの境界部分に前記点光源を１つ配置して、当該１つの点光源によって前記隣接している２つの操作ボタンの上部を照らすように構成したことを特徴とする操作ボタンの照明構造。
【請求項５】
ベースの表面に設けられた複数の収容部の各々に操作ボタンが収容されて保持され、これらの操作ボタンの下方に配置された基板と、この基板に設置される複数の点光源とからなる操作ボタンの照明構造を備えているコントロールユニットにおいて、
前記操作ボタンの照明構造を、請求項１〜請求項４のいずれか１項に記載の操作ボタンの照明構造によって構成したことを特徴とするコントロールユニット。
【発明の詳細な説明】
【技術分野】
【０００１】
本件発明は、例えば、車両のオーディオシステムやナビゲーションシステムを操作するのに用いられる操作ボタンの照明構造およびこれを備えたコントロールユニットに関する。
【背景技術】
【０００２】
従来より、車両には、オーディオシステム、空調システム、ナビゲーションシステム等を操作するために、特許文献１にも記載されているようなコントロールユニット１が設けられている。このコントロールユニット１は、一般的に、ベース３と、複数の操作ボタン１０と、基板４とを備えている。
【０００３】
ベース３の表面（上面）には、複数の収容部３ａが設けられている。各収容部３ａ内には、操作ボタン１０が収容されて保持されている。各操作ボタン１０は、下面が開口した筒状に形成されている。各操作ボタン１０のノブ１２の上面には、透光性を有する表示部１２ａ、１２ｂが形成されている。
【０００４】
また、コントロールユニット１には、操作ボタン１０の照明構造が設けられている。この操作ボタン１０の照明構造は、基板４と、複数のＬＥＤのような点光源６、７とを備えている。基板４は、複数の操作ボタン１０の下方に配置されてベース３に固定されている。各点光源６、７は、基板４の表面（上面）に設置されている。
【０００５】
以上のように構成されている操作ボタン１０の照明構造では、各点光源６、７が点灯すると、各点光源６、７から発せられた光が操作ボタン１０の表示部１２ａ、１２ｂを照らす。これにより、乗員は、夜間でも操作ボタン１０を容易に認識することができる。しかしながら、この操作ボタン１０の照明構造では、点光源６、７を使用しているために、表示部１２ａ、１２ｂを均一に照らすことが難しく、照明ムラが生じてしまう。
【０００６】
そのため、第１の解決方法としては、図８に示すように、操作ボタン１０１のノブ１０２を２色成形で構成する方法がある。具体的には、ノブ１０２を、透光性の表示部１２１ａを有するスモーク材１２１と、その裏側に形成した乳白材１２２（拡散材）とから構成する。これにより、乳白材１２２に点光源１１０の光があたると、この光は拡散されてスモーク材１２１を均一に照らすので、照明ムラが抑えられる。
【０００７】
また、第２の解決方法としては、図９に示すように、操作ボタン２０１のノブ２０２を、透光性の表示部２０２ａを有するスモーク材から構成し、このノブ２０２の下側に拡散パネル２０３を配置する。これにより、拡散パネル２０３に点光源１１０の光があたると、この光は拡散されてノブ２０２を均一に照らすので、照明ムラが抑えられる。
【特許文献１】特開２００７−２８０７８０号公報
【発明の開示】
【発明が解決しようとする課題】
【０００８】
しかしながら、上記の２つの解決方法では、操作ボタンに対する照明ムラを抑えるために、操作ボタン１０１のノブ１０２の下側部分を拡散材１２２で形成したり、操作ボタン２０１内に拡散パネル２０３を配置しなければならない。したがって、操作ボタンの設計自由度が制限されてしまう問題があった。
【０００９】
本件発明は、かかる従来の課題に鑑みてなされたものであり、点光源を使用しても、操作ボタンの設計自由度を制限することなく、操作ボタンに対する照明ムラを抑えることができる操作ボタンの照明構造およびこれを備えたコントロールユニットを提供することを目的とする。
【課題を解決するための手段】
【００１０】
前記課題を解決するために本件発明の請求項１に記載の操作ボタンの照明構造では、下面が開口した筒状に形成されて上部が透光性を有している操作ボタンの下方に配置される基板と、前記操作ボタンの上部を照らすための点光源とを備えている操作ボタンの照明構造であって、前記点光源は前記基板の裏側に配置され、前記基板の表面には、前記点光源から発せられた光を通して当該基板の表面に漏出させて前記操作ボタンの上部にあてる照明用貫通穴が設けられていることを特徴としている。
【００１１】
また、本件発明の請求項２に記載の操作ボタンの照明構造では、請求項１に記載の操作ボタンの照明構造において、前記基板は、その表裏面に回路が形成された両面基板であって、当該基板の裏面に前記光源が設置され、当該基板の表面に前記照明用貫通穴が設けられていることを特徴としている。
【００１２】
また、本件発明の請求項３に記載の操作ボタンの照明構造では、請求項１に記載の操作ボタンの照明構造において、前記基板の下側には別の基板が配置され、双方の基板は、表面に回路が形成された片面基板であって、下側基板の表面に前記点光源が設置され、上側基板の表面に前記照明用貫通穴が設けられていることを特徴としている。
【００１３】
また、本件発明の請求項４に記載の操作ボタンの照明構造では、請求項１〜請求項３のいずれか１項に記載の操作ボタンの照明構造において、複数の前記操作ボタンが隣接する場合には、隣接している２つの操作ボタンの境界部分に前記点光源を１つ配置して、当該１つの点光源によって前記隣接している２つの操作ボタンの上部を照らすように構成したことを特徴としている。
【００１４】
また、本件発明の請求項５に記載のコントロールユニットでは、ベースの表面に設けられた複数の収容部の各々に操作ボタンが収容されて保持され、これらの操作ボタンの下方に配置された基板と、この基板に設置される複数の点光源とからなる操作ボタンの照明構造を備えているコントロールユニットにおいて、前記操作ボタンの照明構造を、請求項１〜請求項４のいずれか１項に記載の操作ボタンの照明構造によって構成したことを特徴としている。
【発明の効果】
【００１５】
本件発明の請求項１に記載の操作ボタンの照明構造では、基板の裏側に点光源を配置し、基板の表面に照明用貫通穴を設けた。これにより、操作ボタンは点光源により間接照明される。したがって、操作ボタンの上部の下側部分を拡散材で形成したり、操作ボタン内に拡散パネルを配置しなくても、操作ボタンの上部を均一に照らすことが可能になる。よって、請求項１に記載の操作ボタンの照明構造は、点光源を使用しても、操作ボタンの設計自由度を制限することなく、操作ボタンに対する照明ムラを抑えることができる。
【００１６】
また、本件発明の請求項２に記載の操作ボタンの照明構造では、基板が両面基板であり、この両面基板の裏面に光源を設置し、表面に照明用貫通穴を設けた。したがって、請求項２に記載の操作ボタンの照明構造は、１枚の基板を用いて操作ボタンの上部を均一に照らすことが可能になるので、薄型化を図ることができる。
【００１７】
また、本件発明の請求項３に記載の操作ボタンの照明構造では、２枚の基板を上下に配置して、下側基板の表面に点光源を設置し、上側基板の表面に照明用貫通穴を設けた。したがって、照明用貫通穴と点光源とが上下に離れて配置されるので、点光源から発せられる光を照明用貫通穴に通しやすくなる。よって、請求項３に記載の操作ボタンの照明構造は、操作ボタンの照明機能を向上させることができる。
【００１８】
また、本件発明の請求項４に記載の操作ボタンの照明構造では、複数の操作ボタンが隣接する場合には、隣接している２つの操作ボタンの境界部分に点光源を１つ配置して、１つの点光源が、隣接している２つの操作ボタンの上部を照らすようにした。これにより、隣接している２つの操作ボタンの上部を２つの点光源で照らす必要がないので、点光源の設置数が抑えられる。よって、請求項４に記載の操作ボタンの照明構造は、低コスト化を図ることができる。
【００１９】
また、本件発明の請求項５に記載のコントロールユニットでは、本件発明の請求項１に記載の操作ボタンの照明構造を用いたので、点光源を使用しても、操作ボタンの設計自由度を制限することなく、操作ボタンに対する照明ムラを抑えることができる。さらに、請求項５に記載のコントロールユニットは、請求項２〜請求項４に記載の操作ボタンの照明構造が有する各効果も併せて得ることができる。
【発明を実施するための最良の形態】
【００２０】
以下、本件発明の実施の形態を図にしたがって説明する。
【００２１】
第１の実施の形態：
図１は、本件発明の第１の実施の形態を示すコントロールユニット１の斜視図である。このコントロールユニット１は、車両のオーディオシステムを操作するために用いられるものである。このコントロールユニット１は、ベース２と、複数の操作ボタン３と、基板４および複数のＬＥＤ等の点光源５（図２参照）とを備えている。
【００２２】
まず、ベース２について説明する。このベース２は樹脂で形成されている。ベース２の表面（上面）には、収容ユニット２１、２２が上下に並んで形成されている。上側の収容ユニット２１は、複数の収容部２３から構成されている。この複数の収容部２３は、横１列に隣接して配置されている。また、下側の収容ユニット２２も、複数の収容部２３から構成されている。この複数の収容部２３は、横２列に隣接して配置されている。各収容部２３は、図２に示すように、四角形の筒状に形成されており、上下面が開口されている。
【００２３】
次に、操作ボタン３について説明する。この操作ボタン３はプッシュ式の操作ボタンである。図２に示すように、この操作ボタン３は樹脂で形成されており、スライダー部３１と、ノブ３２とを備えている。
【００２４】
スライダー部３１は、収容部２３内に上下動可能に保持されている。このスライダー部３１は、非透光性の樹脂により縦断面凸字状の筒状に形成されており、上下面が開口されている。また、スライダー部３１の下面側には、押しピン３３が設けられている。
【００２５】
ノブ３２は、スライダー部３１の上部に装着されている。このノブ３２は、スライダー部３１の上面側の開口部を塞ぐように蓋状に形成されている。また、ノブ３２の上部３２ａの表面には、図１にも示すように、ＦＭ・ＡＭ、ＤＩＳＣ等の操作ボタン３の機能を示す表示部３２ｂが設けられている。この表示部３２ｂは、ノブ３２をスモーク材で形成することにより透光性を有している。これについて具体的に説明すると、ノブ３２は、透光製の樹脂をノブの形状に形成した後に、表示部３２ｂ以外の部分をスモーク処理して形成されている。そのため、表示部３２ｂ以外の部分が非透光性を有し、表示部３２ｂが透光性を有している。
【００２６】
一方、図２に示すように、基板４は、複数の操作ボタン３の下方に配置されてベース２に固定されている。この基板４は、表面４ａと裏面４ｂとに回路が形成された両面基板である。基板４の表面４ａには、複数のタクトスイッチ６（弾性スイッチ）が設けられている。各タクトスイッチ６は、各操作ボタン３内で押しピン３３の下側に配置されている。
【００２７】
以上のように構成されているコントロールユニット１は、乗員の指によって各操作ボタン３のノブ３２が押されると、スライダー部３１が下方へ移動して、押しピン３３がタクトスイッチ６を押す。これにより、各操作ボタン３に割り当てられた機能が動作する。そして、乗員の指がノブ３２から離れると、タクトスイッチ６が元の形に戻ることにより操作ボタン３が元の位置まで押し上げられる。
【００２８】
次に、操作ボタン３の照明構造について説明する。操作ボタン３の照明構造は、基板４と、複数の点光源５とを備えている。本実施の形態では、各点光源５が基板４の裏面４ｂにおいてタクトスイッチ６の下側に設置されている。
【００２９】
また、基板４の表面４ａには、複数の照明用貫通穴７が設けられている。各照明用貫通穴７は、図３に示すように、タクトスイッチ６（点光源５）の周辺部分でタクトスイッチ６の左右側に配置されている。
【００３０】
以上のように構成されている操作ボタン３の照明構造では、各点光源５が点灯すると、図２に示すように、各点光源５から発せられた光５Ｌは、基板４の各照明用貫通穴７を通って表面４ａ側に漏出し、各操作ボタン３のノブ３２の上部３２ａを照らす。これにより、乗員は、夜間でも操作ボタン３の表示部３２ｂを容易に認識することができる。
【００３１】
このように、本実施の形態の操作ボタン３の照明構造では、従来の操作ボタンの照明構造と異なり、点光源５を用いて操作ボタン３を間接照明している。したがって、本実施の形態の操作ボタン３の照明構造では、従来の操作ボタンの照明構造のように、操作ボタン３の上部３２ａの下側部分を拡散材で形成したり、操作ボタン３内に拡散パネルを配置したりしなくても、操作ボタン３の上部３２ａを均一に照らすことが可能になる。よって、本実施の形態の操作ボタン３の照明構造は、点光源５を使用しても、操作ボタン３の設計自由度を制限することなく、操作ボタン３に対する照明ムラを抑えることができる。
【００３２】
さらに、本実施の形態の操作ボタン３の照明構造では、１枚の基板４を用いて操作ボタン３の上部３２ａを均一に照らすことが可能になる。よって、本実施の形態の操作ボタン３の照明構造は、薄型化を図ることもできる。
【００３３】
また、本実施の形態の操作ボタン３の照明構造では、点光源５を基板４の裏面４ｂ側に設置したことにより、タクトスイッチ６の設置位置が従来の操作ボタンの照明構造のように点光源５で制限されてしまうことがない。よって、本実施の形態の操作ボタン３の照明構造は、タクトスイッチ６を基板４の表面４ａで最適な位置に設置することができる。
【００３４】
また、本実施の形態のコントロールユニット１は、上記で説明した本実施の形態の操作ボタン３の照明構造が有する効果と同じ効果を得ることができる。
【００３５】
第２の実施の形態：
図４は、本件発明の第２の実施の形態を示すコントロールユニット５１の斜視図である。なお、本実施の形態において第１の実施の形態のコントロールユニット１と同様な部分には同じ符号を付し、異なる部分を中心にして説明する。本実施の形態のコントロールユニット５１に適用されている操作ボタン３の照明構造は、２枚の基板４１、４２と、複数の点光源５とを備えている。
【００３６】
２枚の基板４１、４２は、複数の操作ボタン３の下方で上下に配置されてベース２に固定されている。また、２枚の基板４１、４２は、それぞれ表面４１ａ、４２ａに回路が形成された片面基板である。下側基板４２の表面４２ａには、複数の点光源５が設置されている。各点光源５は、各タクトスイッチ６の下方となる位置に配置されている。
【００３７】
また、上側基板４１の表面４１ａには、複数の照明用貫通穴７が設けられている。各照明用貫通穴７は、図５にも示すように、タクトスイッチ６の周辺部分でタクトスイッチ６の左右側に配置されている。
【００３８】
以上のように構成されている操作ボタン３の照明構造では、各点光源５が点灯すると、各点光源５から発せられた光５Ｌは、上側基板４１の各照明用貫通穴７を通って表面４１ａ側に漏出し、各操作ボタン３のノブ３２の上部３２ａを照らす。これにより、乗員は、夜間でも操作ボタン３の表示部３２ｂを容易に認識することができる。
【００３９】
このように、本実施の形態の操作ボタン３の照明構造は、第１の実施の形態の操作ボタン３の照明構造と同様に操作ボタン３を間接照明するので、点光源５を使用しても、操作ボタン３の設計自由度を制限することなく、操作ボタン３に対する照明ムラを抑えることができる。
【００４０】
また、本実施の形態の操作ボタン３の照明構造では、第１の実施の形態の操作ボタン３の照明構造と異なり、照明用貫通穴７と点光源５とが上下に離れて配置されるので、第１の実施の形態の操作ボタン３の照明構造に比べて、点光源５から発せられる光５Ｌを照明用貫通穴７に通しやすくなる。よって、本実施の形態の操作ボタン３の照明構造は、操作ボタン３の照明機能を向上させることができる。
【００４１】
さらに、本実施の形態の操作ボタン３の照明構造では、点光源５を上側基板４１の裏側に設置したことにより、第１の実施の形態の操作ボタン３の照明構造と同様に、タクトスイッチ６の設置位置が点光源５によって制限されない。よって、本実施の形態の操作ボタン３の照明構造は、タクトスイッチ６を上側基板４１の表面４１ａで最適な位置に設置することができる。
【００４２】
また、本実施の形態のコントロールユニット５１は、上記で説明した本実施の形態の操作ボタン３の照明構造が有する効果と同じ効果を得ることができる。
【００４３】
第３の実施の形態：
図６は、本件発明の第３の実施の形態を示すコントロールユニット６１の斜視図である。なお、本実施の形態において第１の実施の形態のコントロールユニット１と同様な部分には同じ符号を付し、異なる部分を中心にして説明する。本実施の形態のコントロールユニット６１に適用されている操作ボタン３の照明構造は、基板４３と、複数の点光源５とを備えている。
【００４４】
基板４３は、複数の操作ボタン３の下方に配置されてベース２に固定されている。この基板４３は、表面４３ａと裏面４３ｂとに回路が形成された両面基板である。複数の点光源５は基板４３の裏面４３ｂに設置されている。具体的には、各点光源５は、基板４３の裏面４３ｂにおいて、隣接している２つの操作ボタン３、３の境界部分に設置されている。
また、基板４３の表面４３ａには、複数の照明用貫通穴６７が設けられている。各照明用貫通穴６７は、各点光源５の周囲に配置されている。
【００４５】
以上のように構成されている操作ボタン３の照明構造では、各点光源５が点灯すると、各点光源５から発せられた光５Ｌは、基板４３の各照明用貫通穴６７を通って表面４３ａ側に漏出し、各操作ボタン３のノブ３２の上部３２ａを照らす。これにより、乗員は、夜間でも、操作ボタン３の表示部３２ｂを容易に認識することができる。
【００４６】
このように、本実施の形態の操作ボタン３の照明構造は、第１の実施の形態や第２の実施の形態の操作ボタン３の照明構造と同様に操作ボタン３を間接照明するので、点光源５を使用しても、操作ボタン３の設計自由度を制限することなく、操作ボタン３に対する照明ムラを抑えることができる。
【００４７】
また、本実施の形態の操作ボタン３の照明構造では、１枚の基板４３を用いて操作ボタン３の上部３２ａを均一に照らすことが可能になる。よって、本実施の形態の操作ボタン３の照明構造は、薄型化を図ることもできる。
【００４８】
さらに、本実施の形態の操作ボタン３の照明構造では、複数の操作ボタン３が隣接する場合に、隣接している２つの操作ボタン３、３の境界部分に点光源５を１つ配置して、１つの点光源５が、隣接している２つの操作ボタン３、３の上部３２ａ、３２ａを照らすようにした。これにより、隣接している２つの操作ボタンの上部を２つの点光源で照らす必要がないので、点光源５の設置数が抑えられる。よって、本実施の形態の操作ボタン３の照明構造では、低コスト化を図ることもできる。
【００４９】
さらに、本実施の形態の操作ボタン３の照明構造では、第１の実施の形態の操作ボタン３の照明構造と同様に、点光源５を基板４３の裏面４３ｂ側に設置したので、タクトスイッチ６を基板４３の表面４ａで最適な位置に設置することもできる。
【００５０】
また、本実施の形態のコントロールユニット６１は、上記で説明した本実施の形態の操作ボタン３の照明構造が有する効果と同じ効果を得ることができる。
【００５１】
第４の実施の形態：
図７は、本件発明の第４の実施の形態を示すコントロールユニット７１の斜視図である。なお、本実施の形態において第１の実施の形態のコントロールユニット１と同様な部分には同じ符号を付し、異なる部分を中心にして説明する。本実施の形態のコントロールユニット７１に適用されている操作ボタン３の照明構造は、２枚の基板４４、４５と、複数の点光源５とを備えている。
【００５２】
２枚の基板４４、４５は、複数の操作ボタン３の下方で上下に配置されてベース２に固定されている。また、２枚の基板４４、４５は、それぞれ表面４４ａ、４５ａに回路が形成された片面基板である。下側基板４５の表面４５ａには、複数の点光源５が設置されている。具体的には、各点光源５は、下側基板４５の表面４５ａにおいて、隣接している２つの操作ボタン３、３の境界部分に設置されている。
【００５３】
また、上側基板４４の表面４４ａには、複数の照明用貫通穴６７が設けられている。各照明用貫通穴６７は、各点光源５の周囲に配置されている。
【００５４】
以上のように構成されている操作ボタン３の照明構造では、各点光源５が点灯すると、各点光源５から発せられた光５Ｌは、上側基板４４の各照明用貫通穴６７を通って表面４４ａ側に漏出し、各操作ボタン３のノブ３２の上部３２ａを照らす。これにより、乗員は、夜間でも、操作ボタン３の表示部３２ｂを容易に認識することができる。
【００５５】
このように、本実施の形態の操作ボタン３の照明構造は、第１の実施の形態〜第３の実施の形態の操作ボタン３の照明構造と同様に操作ボタン３を間接照明するので、点光源５を使用しても、操作ボタン３の設計自由度を制限することなく、操作ボタン３に対する照明ムラを抑えることができる。
【００５６】
さらに、本実施の形態の操作ボタン３の照明構造では、第３の実施の形態の操作ボタン３の照明構造と異なり、照明用貫通穴６７と点光源５とが上下に離れて配置されるので、第３の実施の形態の操作ボタン３の照明構造に比べて、点光源５から発せられる光５Ｌを照明用貫通穴６７に通しやすくなる。よって、本実施の形態の操作ボタン３の照明構造は、操作ボタン３の照明機能を向上させることができる。
【００５７】
さらに、本実施の形態の操作ボタン３の照明構造では、複数の操作ボタン３が隣接する場合に、第３の実施の形態と同様に、１つの点光源５が、隣接している２つの操作ボタン３、３の上部３２ａ、３２ａを照らすようにしたので、点光源５の設置数が抑えられ、低コスト化を図ることができる。
【００５８】
また、本実施の形態の操作ボタン３の照明構造では、第２の実施の形態の操作ボタン３の照明構造と同様に、点光源５を下側基板４５の表面４５ａに設置したので、タクトスイッチ６を上側基板４４の表面４４ａで最適な位置に設置することができる。
【００５９】
また、本実施の形態のコントロールユニット７１は、上記で説明した本実施の形態の操作ボタン３の照明構造が有する効果と同じ効果を得ることができる。
【００６０】
以上、本件発明にかかる実施の形態を例示したが、これらの実施の形態は本件発明の内容を限定するものではない。また、本件発明の請求項の範囲を逸脱しない範囲であれば、各種の変更等は可能である。
【００６１】
例えば、点光源５の設置位置や輝度、照明用貫通穴７、６７の設置位置や大きさ等は、点光源５から発せられる光５Ｌが操作ボタン３の上部３２ａにあたる範囲で任意に設定して良い。
【００６２】
また、第１の実施の形態や第３の実施の形態の操作ボタン３の照明構造のように、基板の枚数が１枚の場合には、基板４、４３の裏側に反射板を配置しても良い。これにより、点光源５から発せられた光５Ｌを、反射板で上方に反射させることで、この光５Ｌを照明用貫通穴７、６７に通しやすくなるので、操作ボタンの照明機能を向上させることができる。さらに、この反射板を、第２の実施の形態や第４の実施の形態で使用されている下側基板４２、４５よりも薄く形成すれば、薄型化も図ることができる。
【００６３】
また、第２の実施の形態や第４の実施の形態の操作ボタン３の照明構造で使用されている下側基板４２、４５の表面４２ａ、４５ａに反射処理を施すようにしても良い。この場合も、点光源５から発せられた光５Ｌを照明用貫通穴７、６７に通しやすくなるので、操作ボタンの照明機能を向上させることができる。
【００６４】
また、実施の形態では、タクトスイッチ６を使用した操作ボタン３の照明構造について説明したが、ラバーコンタクトスイッチを使用した操作ボタン、シーソ型や回転型の操作ボタン、スイッチを使用しない操作ボタン等の照明構造について本件発明を適用しても、実施の形態で説明した効果と同様の効果を得ることができる。
【産業上の利用可能性】
【００６５】
以上説明したように本件発明の操作ボタンの照明構造およびコントロールユニットは、点光源を使用しても、操作ボタンの設計自由度を制限することなく、操作ボタンに対する照明ムラを抑えることができる。したがって、本件発明の操作ボタンの照明構造およびコントロールユニットを、これらの技術分野で十分に利用することができる。
【図面の簡単な説明】
【００６６】
【図１】本件発明の第１の実施の形態を示すコントロールユニットの斜視図である。
【図２】図１のＡ−Ａ断面図である。
【図３】同実施の形態において操作ボタンの内部を示す斜視図である。
【図４】本件発明の第２の実施の形態を示すコントロールユニットの要部縦断面図である。
【図５】同実施の形態において操作ボタンの内部を示す斜視図である。
【図６】本件発明の第３の実施の形態を示すコントロールユニットの要部縦断面図である。
【図７】本件発明の第４の実施の形態を示すコントロールユニットの要部縦断面図である。
【図８】従来のコントロールユニットにおいて操作ボタンの内部を示す斜視図である。
【図９】従来の別のコントロールユニットにおいて操作ボタンの内部を示す斜視図である。
【符号の説明】
【００６７】
１    コントロールユニット
２    ベース
３    操作ボタン
４    基板
４ａ    基板の表面
４ｂ    基板の裏面
５    点光源
７    照明用貫通穴
２３    収容部
３２ａ    ノブの上部
３２ｂ    表示部
４１    上側基板
４１ａ    上側基板の表面
４２ａ    下側基板
４３    基板
４３ａ    基板の表面
４３ｂ    基板の裏面
４４    上側基板
４４ａ    上側基板の表面
４５    下側基板
４５ａ    下側基板の表面
５１    コントロールユニット
６１    コントロールユニット
６７    照明用貫通穴
７１    コントロールユニット
【図１】
2010129261.tif 000003
【図２】
2010129261.tif 000004
【図３】
2010129261.tif 000005
【図４】
2010129261.tif 000006
【図５】
2010129261.tif 000007
【図６】
2010129261.tif 000008
【図７】
2010129261.tif 000009
【図８】
2010129261.tif 000010
【図９】
2010129261.tif 000011